(57)【特許請求の範囲】
【請求項１】
再生する楽曲の音質を、音質調整情報を使用して調整する調整部と；
前記調整部の設定に関連している第１の地域に関する第１地域情報を含む第１属性情報、及び、前記調整部の設定に関連している前記第１の地域とは異なる第２の地域に関する第２地域情報を含む第２属性情報を取得し、管理装置へ送信する取得部と；を備え、
前記調整部は、前記管理装置が送信した補正値を使用して補正された前記音質調整情報を使用して、前記調整を行い、
前記管理装置は、地域情報を含む属性情報と、楽曲特性情報とを関連付けて記憶しており、前記第１属性情報に対応する第１楽曲特性情報及び前記第２属性情報に対応する第２楽曲特性情報に基づいて、前記第１楽曲特性情報に対する補正値を導出し、前記音質調整装置へ送信する、
ことを特徴とする音質調整装置。
【請求項２】
請求項１に記載の音質調整装置と；管理装置と；を備える音質調整システムであって、
前記管理装置は、
地域情報を含む属性情報と、楽曲特性情報とを関連付けて記憶する記憶部と；
前記音質調整装置から送信された第１属性情報及び第２属性情報を用い、前記第１属性情報に対応する第１楽曲特性情報及び前記第２属性情報に対応する第２楽曲特性情報に基づいて、第１楽曲特性情報に対する補正値を導出し、前記音質調整装置へ送信する導出部と；を備える、
ことを特徴とする音質調整システム。
【請求項３】
請求項１に記載の音質調整装置との間で通信を行う管理装置であって、
地域情報を含む属性情報と、楽曲特性情報とを関連付けて記憶する記憶部と；
前記音質調整装置から送信された第１属性情報及び第２属性情報を用い、前記第１属性情報に対応する第１楽曲特性情報及び前記第２属性情報に対応する第２楽曲特性情報に基づいて、第１楽曲特性情報に対する補正値を導出し、前記音質調整装置へ送信する導出部と；を備える、
ことを特徴とする管理装置。
【請求項４】
前記第１の地域は、ユーザが前記音質調整装置を使用する前において所定の者が前記調整部の前記音質調整情報を設定したときに使用した楽曲に対応する地域であり、
前記第２の地域は、前記音質調整装置が前記ユーザに使用される地域である、
ことを特徴とする請求項１に記載の音質調整装置。
【請求項５】
前記第１の地域は、前記調整部の前記音質調整情報を設定したときに使用した楽曲に対応する地域であり、
前記第２の地域は、ユーザが指定した地域である、
ことを特徴とする請求項１に記載の音質調整装置。
【請求項６】
前記第１の地域は、前記調整部の前記音質調整情報を設定したときに使用した楽曲に対応する地域であり、
前記第２の地域は、再生する楽曲に対応する地域である、
ことを特徴とする請求項１に記載の音質調整装置。
【請求項７】
前記第１楽曲特性情報及び前記第２楽曲特性情報は、周波数特性に関する情報であり、
前記調整部は、前記第２楽曲特性情報により示される特性から前記第１楽曲特性情報により示される特性を減算して得られた補正情報に基づいて補正された前記音質調整情報を使用して、前記再生する楽曲の音質を調整する、
ことを特徴とする請求項１，４〜６のいずれか一項に記載の音質調整装置。
【請求項８】
前記第１属性情報には、前記第１地域情報に対応付けられた楽曲の作製年情報及び楽曲のジャンル情報の少なくとも一方が含まれ、
前記第２属性情報には、前記第２地域情報に対応付けられた楽曲の作製年情報及び楽曲のジャンル情報の少なくとも一方が含まれる、
ことを特徴とする請求項１，４〜７のいずれか一項に記載の音質調整装置。
【請求項９】
再生する楽曲の音質を、音量調整情報を使用して調整する調整部を備える音質調整装置において使用される音質調整方法であって、
前記調整部の設定に関連している第１の地域に関する第１地域情報を含む第１属性情報、及び、前記調整部の設定に関連している前記第１の地域とは異なる第２の地域に関する第２地域情報を含む第２属性情報を取得し、管理装置へ送信する取得工程と；
前記調整部が、前記管理装置が送信した補正値を使用して補正された前記音質調整情報を使用して、前記調整を行う調整工程と；を備え、
前記管理装置は、地域情報を含む属性情報と、楽曲特性情報とを関連付けて記憶しており、前記第１属性情報に対応する第１楽曲特性情報及び前記第２属性情報に対応する第２楽曲特性情報に基づいて、前記第１楽曲特性情報に対する補正値を導出して、前記音質調整装置へ送信する、
ことを特徴とする音質調整方法。
【請求項１０】
音質調整装置が有するコンピュータに、請求項９に記載の音質調整方法を実行させる、ことを特徴とする音質調整プログラム。
【請求項１１】
音質調整装置が有するコンピュータにより読み取り可能に、請求項１０に記載の音質調整プログラムが記録されている、ことを特徴とする記録媒体。
【請求項１２】
音質調整装置、及び、地域情報を含む属性情報と、楽曲特性情報とを関連付けて記憶する記憶部と；導出部と；を備える管理装置を備える音質調整システムにおける前記管理装置において使用される管理方法であって、
前記導出部が、前記音質調整装置の設定に関連している第１の地域に関する第１地域情報を含む第１属性情報、及び、前記調整部の設定に関連している前記第１の地域とは異なる第２の地域に関する第２地域情報を含む第２属性情報を、前記音質調整装置から取得する取得工程と；
前記導出部が、前記音質調整装置から送信された第１属性情報及び第２属性情報を用い、前記第１属性情報に対応する第１楽曲特性情報及び前記第２属性情報に対応する第２楽曲特性情報に基づいて、前記第１楽曲特性情報に対する補正値を導出し、前記音質調整装置へ送信する導出工程と；
を備えることを特徴とする管理方法。
【発明の詳細な説明】
【技術分野】
【０００１】
本発明は、音質調整装置、音質調整方法、音質調整プログラム、及び、当該音質調整プログラムが記録された記録媒体に関する。
【背景技術】
【０００２】
従来から、楽曲コンテンツを再生する音響装置が広く普及している。そして、音響装置の普及により、多様な国や地域のユーザが、音響装置を操作して様々な国や地域の楽曲を聴取するようになっている。かかる普及している音響装置では、ユーザの国籍や居住する国や地域等の属性に合った音声処理態様で楽曲を再生出力するには、音声調整処理に関する高度の技術を有するサウンド技術者やユーザの手間を必要とすることがある。
【０００３】
例えば、音響装置を配置した車両を出荷する場合に、出荷前に、サウンド技術者が、西洋の楽曲をリファレンスにして、車両の車室内特性に合わせて、再生楽曲音の音質調整設定等の音響装置の音声調整設定（チューニング）を行うことが、一般に行われている。ここで、楽曲それぞれの音質等の特徴は、国や地域により異なっている。したがって、当該音響装置を配置した車両を輸出する場合に、仕向け国が西洋の国とは異なる国（例えば新興国）であるときは、西洋の楽曲をリファレンスにしてチューニングされた音響装置では、仕向け国の楽曲の再生出力に適した音声調整設定とはなっていない。この結果、仕向け国の楽曲をリファレンスにしたチューニング作業を行う必要があり、サウンド技術者の負荷が大幅に増加する。
【０００４】
また、ユーザが、様々な国や地域の楽曲を続けて再生出力するときに、音質調整設定等の音声調整設定が同一である場合には、国や地域により楽曲の音質等の特徴の傾向が異なることから、イコライザバランス等の音声調整設定のバランスが崩れることがある。こうした状態を避けるためには、再生出力する楽曲の特徴に合わせて、ユーザが音響装置のチューニングを行う必要がある。
【０００５】
そこで、近年では、ユーザの国籍等を考慮し、ユーザの嗜好に合った楽曲を再生出力する技術が提案されている（特許文献１参照：以下、「従来例」と呼ぶ）。この従来例の技術では、サウンド技術者が、様々な環境あるいはユーザの好みに応じた音声処理パラメータを予め複数生成しておく。こうした複数の音声処理パラメータを生成した状態で、サーバ装置が、端末装置から送られたユーザの国籍、人種、年齢、種別などによって示されるユーザプロファイル等を受信すると、ユーザプロファイル等をもとにユーザの好みを分析し、分析結果に基づいて音声処理パラメータを選択する。引き続き、サーバ装置が、当該音声処理パラメータの使用を端末装置に推奨する。そして、端末装置が推奨された音声処理パラメータを使用して音声処理を実行し、再生装置が音声処理結果を再生するようになっている。
【先行技術文献】
【特許文献】
【０００６】
【特許文献１】特開２０１４−９３５７７号公報
【発明の概要】
【発明が解決しようとする課題】
【０００７】
上述した従来例の技術では、サウンド技術者が、様々な環境等に応じた音声処理パラメータを予め生成しておく必要がある。このため、国や地域等を考慮した音声処理パラメータをユーザに提供するには、サウンド技術者が、様々な国や地域等に応じた音声処理パラメータを予め生成する必要があり、サウンド技術者に負担がかかる。
【０００８】
また、上述した従来例の技術では、推奨された音声処理パラメータを使用した音声処理結果を聴いたユーザが「良い」あるいは「悪い」の評価を行い、端末装置が当該評価結果をサーバ装置に報告する。そして、ユーザが「悪い」と評価した場合には、サーバ装置は、次の音声処理パラメータを選択し、選択した音声処理パラメータの使用を端末装置に推奨する。このように、従来例の技術では、国や地域等を考慮した音声処理パラメータを決定するに際して、複数回にわたってユーザが評価を行うことがあり、ユーザに負担をかけることがある。
【０００９】
このため、サウンド技術者やユーザ等の操作の負担を軽減し、ユーザの嗜好に沿った音声調整処理を行うことができる技術が望まれている。かかる要請に応えることが、本発明が解決すべき課題の一つとして挙げられる。
【課題を解決するための手段】
【００１０】
請求項１に記載の発明は、再生する楽曲の音質を、音質調整情報を使用して調整する調整部と；前記調整部の設定に関連している第１の地域に関する第１地域情報を含む第１属性情報、及び、前記調整部の設定に関連している前記第１の地域とは異なる第２の地域に関する第２地域情報を含む第２属性情報を取得し、管理装置へ送信する取得部と；を備え、前記調整部は、前記管理装置が送信した補正値を使用して補正された前記音質調整情報を使用して、前記調整を行い、前記管理装置は、地域情報を含む属性情報と、楽曲特性情報とを関連付けて記憶しており、前記第１属性情報に対応する第１楽曲特性情報及び前記第２属性情報に対応する第２楽曲特性情報に基づいて、前記第１楽曲特性情報に対する補正値を導出し、前記音質調整装置へ送信する、ことを特徴とする音質調整装置である。
請求項２に記載の発明は、請求項１に記載の音質調整装置と；管理装置と；を備える音質調整システムであって、前記管理装置は、地域情報を含む属性情報と、楽曲特性情報とを関連付けて記憶する記憶部と；前記音質調整装置から送信された第１属性情報及び第２属性情報を用い、前記第１属性情報に対応する第１楽曲特性情報及び前記第２属性情報に対応する第２楽曲特性情報に基づいて、第１楽曲特性情報に対する補正値を導出し、前記音質調整装置へ送信する導出部と；を備える、ことを特徴とする音質調整システムである。
請求項３に記載の発明は、請求項１に記載の音質調整装置との間で通信を行う管理装置であって、地域情報を含む属性情報と、楽曲特性情報とを関連付けて記憶する記憶部と；前記音質調整装置から送信された第１属性情報及び第２属性情報を用い、前記第１属性情報に対応する第１楽曲特性情報及び前記第２属性情報に対応する第２楽曲特性情報に基づいて、第１楽曲特性情報に対する補正値を導出し、前記音質調整装置へ送信する導出部と；を備える、ことを特徴とする管理装置である。
【００１１】
請求項９に記載の発明は、再生する楽曲の音質を、音量調整情報を使用して調整する調整部を備える音質調整装置において使用される音質調整方法であって、前記調整部の設定に関連している第１の地域に関する第１地域情報を含む第１属性情報、及び、前記調整部の設定に関連している前記第１の地域とは異なる第２の地域に関する第２地域情報を含む第２属性情報を取得し、管理装置へ送信する取得工程と；前記調整部が、前記管理装置が送信した補正値を使用して補正された前記音質調整情報を使用して、前記調整を行う調整工程と；を備え、前記管理装置は、地域情報を含む属性情報と、楽曲特性情報とを関連付けて記憶しており、前記第１属性情報に対応する第１楽曲特性情報及び前記第２属性情報に対応する第２楽曲特性情報に基づいて、前記第１楽曲特性情報に対する補正値を導出して、前記音質調整装置へ送信する、ことを特徴とする音質調整方法である。
【００１２】
請求項１０に記載の発明は、音質調整装置が有するコンピュータに、請求項９に記載の音質調整方法を実行させる、ことを特徴とする音質調整プログラムである。
【００１３】
請求項１１に記載の発明は、音質調整装置が有するコンピュータにより読み取り可能に、請求項１０に記載の音質調整プログラムが記録されている、ことを特徴とする記録媒体である。
請求項１２に記載の発明は、音質調整装置、及び、地域情報を含む属性情報と、楽曲特性情報とを関連付けて記憶する記憶部と；導出部と；を備える管理装置を備える音質調整システムにおける前記管理装置において使用される管理方法であって、前記導出部が、前記音質調整装置の設定に関連している第１の地域に関する第１地域情報を含む第１属性情報、及び、前記調整部の設定に関連している前記第１の地域とは異なる第２の地域に関する第２地域情報を含む第２属性情報を、前記音質調整装置から取得する取得工程と；前記導出部が、前記音質調整装置から送信された第１属性情報及び第２属性情報を用い、前記第１属性情報に対応する第１楽曲特性情報及び前記第２属性情報に対応する第２楽曲特性情報に基づいて、前記第１楽曲特性情報に対する補正値を導出し、前記音質調整装置へ送信する導出工程と；を備えることを特徴とする管理方法である。
【図面の簡単な説明】
【００１４】
【図１】本発明の第１実施形態に係る管理装置及び音質調整装置の構成を概略的に示すブロック図である。
【図２】図１の管理装置の記憶部に記憶される楽曲特性情報の内容を説明するための図である。
【図３】図２の楽曲特性情報に含まれるオクターブバンド情報の例を説明するための図（その１）である。
【図４】図２の楽曲特性情報に含まれるオクターブバンド情報の例を説明するための図（その２）である。
【図５】図１の管理装置及び音質調整装置による音質調整設定値の更新処理を説明するためのシーケンス図である。
【図６】図５の補正値の導出処理の結果の例を説明するための図である。
【図７】図５の音質調整値設定の更新処理を行う前の音質調整値設定の例を説明するための図である。
【図８】図５の音質調整設定値の更新処理の結果の例を説明するための図である。
【図９】本発明の第２実施形態に係る管理装置及び音質調整装置の構成を概略的に示すブロック図である。
【図１０】図９の音質調整装置による音質調整設定値の補正値の設定処理を説明するためのフローチャートである。
【発明を実施するための形態】
【００１５】
以下、本発明の実施形態を、添付図面を参照して説明する。なお、以下の説明及び図面においては、同一又は同等の要素には同一の符号を付し、重複する説明を省略する。
【００１６】
［第１実施形態］
まず、本発明の第１実施形態を、図１〜図８を参照して説明する。
【００１７】
＜構成＞
図１には、第１実施形態に係る管理装置１００及び音質調整装置２００Ａの概略的な構成がブロック図にて示されている。第１実施形態では、管理装置１００は、例えば、建屋内の固定的な位置に配置されている。また、音質調整装置２００Ａは、車両内に配置されている。そして、管理装置１００と音質調整装置２００Ａとは、ネットワークを介して、通信可能となっている。
【００１８】
なお、管理装置１００は、音質調整装置２００Ａと同様に構成された他の音質調整装置とも通信可能となっているが、図１においては、音質調整装置２００Ａのみが代表的に示されている。
【００１９】
《管理装置１００の構成》
上記の管理装置１００の構成について、説明する。
【００２０】
管理装置１００は、図１に示されるように、送受信部１１０と、記憶部１２０と、処理制御部１３０とを備えている。
【００２１】
上記の送受信部１１０は、音質調整装置２００Ａから、ネットワークを介して、第１属性情報ＰＰ１及び第２属性情報ＰＰ２を受信する。そして、送受信部１１０は、当該第１属性情報ＰＰ１及び第２属性情報ＰＰ２を処理制御部１３０へ送る。
【００２２】
第１実施形態では、「第１属性情報ＰＰ１」には、音質調整装置２００Ａを配置した車両の出荷時（以下、単に「出荷時」ともいう）においては、サウンド技術者（所定の者）が、音質調整装置２００Ａの音質調整設定（「チューニング」ともいう）に使用したリファレンス楽曲に対応する地域（第１の地域）に関する情報（第１地域情報）、及び、当該リファレンス楽曲の作製年情報が含まれている。また、第１実施形態では、「第２属性情報ＰＰ２」には、例えば、音質調整装置２００Ａを配置した車両がユーザに譲渡される地域（第２の地域）に関する情報（第２地域情報）、及び、現在の年情報が含まれている。
【００２３】
また、送受信部１１０は、処理制御部１３０から送られた補正値情報αを受ける。そして、送受信部１１０は、当該補正値情報αを、ネットワークを介して、音質調整装置２００Ａへ送信する。
【００２４】
上記の記憶部１２０は、ハードディスク装置等の不揮発性の記憶装置を備えて構成されている。記憶部１２０には、管理装置１００で利用される様々な情報データが記憶されている。こうした情報データには、楽曲特性情報ＭＳＩ（後述する図２参照）が含まれている。この記憶部１２０には、処理制御部１３０がアクセス可能となっている。
【００２５】
楽曲特性情報ＭＳＩには、図２に示されるように、地域ＡＲj（ｊ＝１，…）ごと及び当該地域ＡＲjに対応付けられた楽曲の作製年ＹＲk（ｋ＝１，…）ごとのオクターブバンド情報ＯＣＢj,kが含まれている。
【００２６】
このオクターブバンド情報ＯＣＢj,kは、第１実施形態では、地域ＡＲjにおいて作製年ＹＲkに作製された複数の楽曲について１／１オクターブ解析（周波数解析）し、解析結果を平均することにより得られた、楽曲の周波数特性に関する情報となっている。ここで、図３，４には、楽曲特性情報ＭＳＩに含まれる異なる地域のオクターブバンド情報の例が示されている。図３，４に示されるように、第１実施形態では、楽曲特性情報ＭＳＩに含まれるオクターブバンド情報は、１０００［Ｈｚ］においてレベル［ｄＢ］を「０」とした場合の相対値で表現される情報となっている。
【００２７】
図１に戻り、上記の処理制御部１３０は、送受信部１１０から送られた第１属性情報ＰＰ１及び第２属性情報ＰＰ２を受ける。当該第１属性情報ＰＰ１及び第２属性情報ＰＰ２を受けると、処理制御部１３０は、記憶部１２０にアクセスして、楽曲特性情報ＭＳＩから、第１属性情報ＰＰ１に対応するオクターブバンド情報（第１楽曲特性情報、以下「第１オクターブバンド情報ＯＣＢ１」とも記す）、及び、第２属性情報ＰＰ２に対応するオクターブバンド情報（第２楽曲特性情報、以下「第２オクターブバンド情報ＯＣＢ２」とも記す）を読み取る。
【００２８】
引き続き、処理制御部１３０は、第２オクターブバンド情報ＯＣＢ２により示される周波数特性から第１オクターブバンド情報ＯＣＢ１により示される周波数特性を減算して、音質調整装置２００Ａに設定されている音質調整設定値（パラメータ）ＥＱを補正する補正値を算出する。そして、処理制御部１３０は、算出された補正値を、補正値情報αとして送受信部１１０へ送る。処理制御部１３０による音質調整設定値ＥＱの補正値の算出処理結果の具体例については、後述する。
【００２９】
《音質調整装置２００Ａの構成》
上記の音質調整装置２００Ａの構成について、説明する。
【００３０】
音質調整装置２００Ａは、図１に示されるように、楽曲情報供給部２２０Ａと、音質調整部２３０Ａと、音出力部２５０とを備えている。また、音質調整装置２００Ａは、入力部２６０Ａと、属性情報取得部２７０Ａと、送受信部２８０と、更新部２９０とを備えている。
【００３１】
上記の楽曲情報供給部２２０Ａは、楽曲コンテンツデータに基づいて、楽曲信号ＭＵＤを生成する。生成された楽曲信号ＭＵＤは、音質調整部２３０Ａへ送られる。
【００３２】
上記の音質調整部２３０Ａは、楽曲情報供給部２２０Ａから送られた楽曲信号ＭＵＤを受ける。そして、音質調整部２３０Ａは、内部に設定されている音質調整設定値ＥＱに基づき、楽曲信号ＭＵＤに音質調整処理を施して、音声信号ＡＯＤを生成する。こうして生成された音声信号ＡＯＤは、音出力部２５０へ送られる。
【００３３】
第１実施形態では、音質調整部２３０Ａに設定される音質調整設定値ＥＱは、音質調整装置２００Ａを配置した車両の出荷時（ユーザが音質調整装置２００Ａを使用する前）においては、サウンド技術者が、リファレンス楽曲を再生しながら入力部２６０Ａを利用してチューニングしたパラメータ値になっている。そして、音質調整部２３０Ａは、出荷時においては、当該チューニングに使用したリファレンス楽曲に対応する地域に関する第１地域情報及び当該リファレンス楽曲の作製年情報を含む第１属性情報ＰＰ１を内部に保持している。
【００３４】
ここで、出荷時に音質調整部２３０Ａの内部に保持される第１属性情報ＰＰ１は、サウンド技術者による音質調整設定値ＥＱの設定時に、音質調整部２３０Ａがリファレンス楽曲のコンテンツから取得するようになっている。
【００３５】
また、第１実施形態では、音質調整部２３０Ａに設定される音質調整設定値ＥＱは、後述するように、更新部２９０により更新されるようになっている。そして、音質調整設定値ＥＱが更新されるに際して、第１属性情報ＰＰ１も更新されるようになっている。
【００３６】
上記の音出力部２５０は、スピーカＳＰを備えて構成されている。音出力部２５０は、音質調整部２３０Ａから送られた音声信号ＡＯＤを受ける。そして、音出力部２５０は、音声信号ＡＯＤに従った楽曲音をスピーカＳＰから出力する。
【００３７】
上記の入力部２６０Ａは、音質調整装置２００Ａに設けられたキー部、及び／又はキー部を備えるリモート入力装置等により構成されている。この入力部２６０Ａをユーザが操作することにより、音質調整装置２００Ａの動作内容の設定や動作指令が行われる。例えば、楽曲コンテンツの再生指定等を、ユーザが入力部２６０Ａを利用して行う。
【００３８】
また、第１実施形態では、サウンド技術者が、音質調整装置２００Ａを配置した車両の出荷前において、入力部２６０Ａを利用して、リファレンス楽曲を再生しながら、音質調整部２３０Ａに対して音質調整設定値ＥＱを設定するようになっている。
【００３９】
また、第１実施形態では、ユーザが、入力部２６０Ａを利用して、音質調整装置２００Ａを配置した車両が譲渡された地域、すなわち、ユーザが音質調整装置２００Ａを使用する地域を入力するようになっている。こうして入力された地域に関する情報は、第２地域情報として属性情報取得部２７０Ａへ送られる。
【００４０】
上記の属性情報取得部２７０Ａは、時計機能を有している。属性情報取得部２７０Ａは、入力部２６０Ａから送られた第２地域情報を受ける。そして、当該第２地域情報を受けると、属性情報取得部２７０Ａは、第２地域情報及び現在の年情報を含む第２属性情報ＰＰ２を生成する。引き続き、属性情報取得部２７０Ａは、第２属性情報ＰＰ２を生成すると、音質調整部２３０Ａの内部に保持されている第１属性情報ＰＰ１を取得する。そして、属性情報取得部２７０Ａは、当該第１属性情報ＰＰ１及び第２属性情報ＰＰ２を送受信部２８０へ送る。
【００４１】
また、属性情報取得部２７０Ａは、当該情報を送信すると、今回取得した第２属性情報を、新たな第１属性情報として音質調整部２３０Ａへ送る。この結果、音質調整部２３０Ａの内部に保持されている第１属性情報が更新される。
【００４２】
上記の送受信部２８０は、属性情報取得部２７０Ａから送られた第１属性情報ＰＰ１及び第２属性情報ＰＰ２を受ける。そして、送受信部２８０は、当該第１属性情報ＰＰ１及び第２属性情報ＰＰ２を、ネットワークを介して、管理装置１００へ送信する。
【００４３】
また、送受信部２８０は、管理装置１００から、ネットワークを介して、補正値情報αを受信する。そして、送受信部２８０は、当該補正値情報αを更新部２９０へ送る。
【００４４】
上記の更新部２９０は、送受信部２８０から送られた補正値情報αを受ける。当該補正値情報αを受けると、更新部２９０は、まず、現時点で音質調整部２３０Ａに設定されている音質調整設定値ＥＱを取得する。引き続き、更新部２９０は、当該取得した現時点の音質調整設定値ＥＱに、補正値情報αにより示される補正値を加算して、音質調整設定値ＥＱを更新する。そして、更新部２９０は、当該更新された音質調整設定値ＥＱを、音質調整部２３０Ａに対して設定する。更新部２９０による音質調整設定値ＥＱの更新処理結果の具体例については、後述する。
【００４５】
＜動作＞
以上のようにして構成された管理装置１００及び音質調整装置２００Ａが協働して実行する動作について、音質調整装置２００Ａに設定されている音質調整設定値ＥＱの更新処理に主に着目して説明する。
【００４６】
ここで、音質調整装置２００Ａの出荷時においては、音質調整装置２００Ａの音質調整部２３０Ａには、サウンド技術者がリファレンス楽曲を再生しながらチューニングした音質調整設定値ＥＱが、設定されているものとする。そして、音質調整部２３０Ａの内部には、チューニングに使用したリファレンス楽曲に関する第１属性情報ＰＰ１が保持されているものとする。また、第１実施形態では、第１属性情報ＰＰ１の内容と第２属性情報ＰＰ２の内容とは、異なっているものとする。
【００４７】
図５には、管理装置１００と音質調整装置２００Ａとが協働して実行する動作が、シーケンス図にて示されている。
【００４８】
図５に示されるように、まず、ステップＳ１１において、音質調整装置２００Ａの属性情報取得部２７０Ａが、第１属性情報ＰＰ１及び第２属性情報ＰＰ２の取得処理を行う。かかる取得処理については、ユーザが入力部２６０Ａを利用して音質調整装置２００Ａを配置した車両が譲渡された地域を入力することにより、属性情報取得部２７０Ａが、入力部２６０Ａから送られた第２地域情報を受けると開始する。属性情報取得部２７０Ａは、第２地域情報を受けると、第２地域情報及び現在の年情報を含む第２属性情報ＰＰ２を生成する。
【００４９】
また、属性情報取得部２７０Ａは、第２属性情報ＰＰ２を生成すると、音質調整部２３０Ａの内部に保持されている第１属性情報ＰＰ１を取得する。こうして第１属性情報ＰＰ１を取得すると、属性情報取得部２７０Ａは、第１属性情報ＰＰ１及び第２属性情報ＰＰ２を送受信部２８０へ送る。そして、送受信部２８０が、第１属性情報ＰＰ１及び第２属性情報ＰＰ２を、ネットワークを介して、管理装置１００へ送信する。
【００５０】
管理装置１００が第１属性情報ＰＰ１及び第２属性情報ＰＰ２を受信すると、ステップＳ１２において、補正値の導出処理が行われる。補正値の導出処理に際して、まず、送受信部１１０が、受信した第１属性情報ＰＰ１及び第２属性情報ＰＰ２を、処理制御部１３０へ送る。
【００５１】
第１属性情報ＰＰ１及び第２属性情報ＰＰ２を受けると、処理制御部１３０が、記憶部１２０にアクセスして、記憶部１２０の楽曲特性情報ＭＳＩから、第１属性情報ＰＰ１に対応する第１オクターブバンド情報ＯＣＢ１を読み取るとともに、第２属性情報ＰＰ２に対応する第２オクターブバンド情報ＯＣＢ２を読み取る。引き続き、処理制御部１３０は、第２オクターブバンド情報ＯＣＢ２により示される周波数特性から第１オクターブバンド情報ＯＣＢ１により示される周波数特性を減算して、補正値を導出する。こうして補正値を導出すると、処理制御部１３０は、当該補正値を補正値情報αとして送受信部１１０へ送る。そして、送受信部１１０は、補正値情報αを、ネットワークを介して、音質調整装置２００Ａへ送信する。
【００５２】
音質調整装置２００Ａが補正値情報αを受信すると、ステップＳ１３において、音質調整設定値ＥＱの更新処理が行われる。音質調整設定値ＥＱの更新処理の更新処理に際して、送受信部２８０が、受信した補正値情報αを更新部２９０へ送る。
【００５３】
補正値情報αを受けると、更新部２９０は、まず、現時点において音質調整部２３０Ａに設定されている音質調整設定値ＥＱを取得する。引き続き、更新部２９０は、取得した音質調整設定値ＥＱに補正値情報αにより示される補正値を加算し、音質調整設定値ＥＱを更新する。そして、更新部２９０は、当該更新された音質調整設定値ＥＱを、音質調整部２３０Ａに対して設定する。こうして音質調整設定値ＥＱが更新されると、音質調整装置２００Ａに設定されている音質調整設定値ＥＱの更新処理が終了する。
【００５４】
ここで、図６には、上述した図３に示されるオクターブバンド情報を第１オクターブバンド情報ＯＣＢ１、上述した図４に示されるオクターブバンド情報を第２オクターブバンド情報ＯＣＢ２としたときに、ステップＳ１２において導出された補正値が示されている。また、図７には、サウンド技術者が、音質調整部２３０Ａに対して設定した音質調整設定値ＥＱの例が示されている。そして、図８には、ステップＳ１３において、図６に示される補正値に基づいて、図７に示される音質調整設定値ＥＱから更新された音質調整設定値ＥＱの例が示されている。
【００５５】
このようにして音質調整設定値ＥＱが更新された状態で、楽曲情報供給部２２０Ａが、楽曲信号ＭＵＤを音質調整部２３０Ａに供給すると、音質調整部２３０Ａが、更新された音質調整設定値ＥＱに基づき、楽曲信号ＭＵＤに音質調整処理を施して音声信号ＡＯＤを生成する。そして、音質調整部２３０Ａは、生成された音声信号ＡＯＤを、音出力部２５０へ送る。この結果、音出力部２５０のスピーカＳＰから、ユーザが指定した地域の音質調整設定に適合した楽曲音が出力される。
【００５６】
ここで、第１実施形態では、音質調整装置２００Ａを配置した車両が、音質調整部２３０Ａの音質調整設定値ＥＱを更新した第１のユーザから、別の第２のユーザに譲渡された場合に、当該第２のユーザに譲渡された地域が、第１のユーザに譲渡された地域と異なっているときにも、音質調整装置２００Ａに設定されている音質調整設定値ＥＱの更新処理を行うことができる。
【００５７】
かかる音質調整設定値ＥＱの更新処理は、入力部２６０Ａを利用して、第２のユーザが音質調整装置２００Ａを使用する地域を入力することにより行われる。こうして第２のユーザが当該地域を入力すると、上述したステップＳ１１〜Ｓ１３の処理が実行される。そして、ステップＳ１３の処理が終了すると、音質調整部２３０Ａの音質調整設定値ＥＱが、第２のユーザが指定した地域に対応した音質調整設定値ＥＱに更新される。
【００５８】
以上説明したように、第１実施形態では、サウンド技術者が、音質調整装置２００Ａを配置した車両の出荷前において、リファレンス楽曲を再生しながら音質調整部２３０Ａの音質調整設定値ＥＱを設定する。そして、音質調整部２３０Ａが、リファレンス楽曲に対応する地域に関する第１地域情報及び当該リファレンス楽曲の作製年情報を含む第１属性情報ＰＰ１を保持する。
【００５９】
音質調整装置２００Ａを配置した車両がユーザに譲渡され、ユーザが譲渡された地域を、入力部２６０Ａを利用して入力すると、属性情報取得部２７０Ａが、ユーザが入力した地域に関する第２地域情報及び現在の年情報を含む第２属性情報ＰＰ２を生成する。引き続き、属性情報取得部２７０Ａは、音質調整部２３０Ａに保持されている第１属性情報ＰＰ１を取得する。そして、属性情報取得部２７０Ａは、第１属性情報ＰＰ１及び第２属性情報ＰＰ２を、管理装置１００へ送信する。
【００６０】
管理装置１００では、第１属性情報ＰＰ１及び第２属性情報ＰＰ２を受信すると、処理制御部１３０が、記憶部１２０の楽曲特性情報ＭＳＩから、第１属性情報ＰＰ１に対応する第１オクターブバンド情報ＯＣＢ１及び第２属性情報ＰＰ２に対応する第２オクターブバンド情報ＯＣＢ２を取得する。引き続き、処理制御部１３０は、第２オクターブバンド情報ＯＣＢ２により示される周波数特性から第１オクターブバンド情報ＯＣＢ１により示される周波数特性を減算して、補正値を導出する。そして、処理制御部１３０は、当該補正値を補正値情報αとして、音質調整装置２００Ａへ送信する。
【００６１】
補正値情報αを受けた音質調整装置２００Ａでは、更新部２９０が、まず、現時点において音質調整部２３０Ａに設定されている音質調整設定値ＥＱを取得する。引き続き、更新部２９０は、当該取得した音質調整設定値ＥＱに補正値情報αにより示される補正値を加算し、音質調整設定値ＥＱを更新する。
【００６２】
このように第１実施形態では、サウンド技術者は、音質調整装置２００Ａの音質調整設定を１回のみ行えばよい。また、ユーザは、音質調整装置２００Ａの音質調整設定値ＥＱを更新するに際して、音質調整装置２００Ａを配置した車両が譲渡された地域のみを入力すればよい。
【００６３】
このため、サウンド技術者やユーザ等の操作の負荷を軽減し、サウンド技術者の音質調整に対する技術や思想を反映しつつ、ユーザが指定した地域の楽曲の音質特徴に合わせた音質調整設定を、音質調整装置２００Ａに対して行うことができる。
【００６４】
また、第１実施形態では、音質調整装置２００Ａを配置した車両が、さらに別のユーザに譲渡された場合にも、当該別のユーザが、入力部２６０Ａに対して当該別のユーザの地域情報の入力操作を行うのみで、音質調整装置２００Ａに設定されている音質調整設定値ＥＱの更新処理を行うことができる。
【００６５】
このため、音質調整装置２００Ａを配置した車両が、さらに、別のユーザに譲渡された場合にも、当該別のユーザの負担を軽減し、サウンド技術者の音質調整に対する技術や思想を反映しつつ、当該別のユーザが指定した地域の楽曲の音質特徴に合わせた音質調整設定を、音質調整装置２００Ａに対して行うことができる。
【００６６】
したがって、第１実施形態によれば、サウンド技術者やユーザ等の操作の負荷を軽減し、所属する地域に対応するユーザの嗜好に合った音声調整処理を行うことができる。
【００６７】
［第２実施形態］
次に、本発明の第２実施形態を、図９，１０を参照して説明する。
【００６８】
＜構成＞
図９には、第２実施形態に係る管理装置１００及び音質調整装置２００Ｂの概略的な構成がブロック図にて示されている。第２実施形態では、管理装置１００は、上述した第１実施形態の場合と同様に構成され、上述した第１実施形態の音質調整装置２００Ａに代えて音質調整装置２００Ｂを構成要素とする点が異なっている。
【００６９】
第２実施形態では、管理装置１００は、上述した第１実施形態の場合と同様に、例えば、建屋内の固定的な位置に配置されている。また、音質調整装置２００Ｂは、上述した第１実施形態の音質調整装置２００Ａの場合と同様に、車両内に配置されている。
【００７０】
そして、管理装置１００と音質調整装置２００Ｂとは、ネットワークを介して、通信可能となっている。なお、管理装置１００は、音質調整装置２００Ｂと同様に構成された他の音質調整装置とも通信可能となっているが、図９においては、音質調整装置２００Ｂのみが代表的に示されている。
【００７１】
《音質調整装置２００Ｂの構成》
上記の音質調整装置２００Ｂの構成について、説明する。
【００７２】
音質調整装置２００Ｂは、図９に示されるように、楽曲情報供給部２２０Ｂと、音質調整部２３０Ｂと、音質調整補正部２４０と、音出力部２５０とを備えている。また、音質調整装置２００Ｂは、入力部２６０Ｂと、属性情報取得部２７０Ｂと、送受信部２８０とを備えている。以下、上述した第１実施形態に係る音質調整装置２００Ａとの相違点に主に着目して説明する。
【００７３】
上記の楽曲情報供給部２２０Ｂは、楽曲コンテンツデータに基づいて、楽曲信号ＭＵＤを生成する。そして、楽曲情報供給部２２０Ｂは、生成された楽曲信号ＭＵＤを、音質調整部２３０Ｂへ送る。なお、第２実施形態では、楽曲情報供給部２２０Ｂは、属性情報取得部２７０Ｂ又は音質調整補正部２４０から送られた供給指示を受けたときに、楽曲信号ＭＵＤを音質調整部２３０Ｂへ送るようになっている。
【００７４】
また、第２実施形態では、サウンド技術者又はユーザが入力部２６０Ｂを利用して音質調整部２３０Ｂの音質調整設定値ＥＱを設定した時に、楽曲情報供給部２２０Ｂは、チューニングに使用したリファレンス楽曲に対応する地域に関する第１地域情報及び当該リファレンス楽曲の作製年情報を、第１属性情報ＰＰ１として、音質調整部２３０Ｂへ送るようになっている。
【００７５】
また、第２実施形態では、楽曲情報供給部２２０Ｂは、楽曲コンテンツデータから、当該楽曲コンテンツデータの楽曲に対応する地域及び楽曲の作製年を読み取るようになっている。こうして読み取られた楽曲に対応する地域に関する情報及び楽曲の作製年情報は、第２属性情報ＰＰ２として属性情報取得部２７０Ｂへ送られる。
【００７６】
上記の音質調整部２３０Ｂは、楽曲情報供給部２２０Ｂから送られた楽曲信号ＭＵＤを受ける。そして、音質調整部２３０Ｂは、内部に設定されている音質調整設定値ＥＱに基づき、楽曲信号ＭＵＤに音質調整処理を施して、音質調整信号ＡＦＤを生成する。こうして生成された音質調整信号ＡＦＤは、音出力部２５０へ送られる。
【００７７】
第２実施形態では、音質調整部２３０Ｂに設定される音質調整設定値ＥＱは、サウンド技術者又はユーザが、入力部２６０Ｂを利用してチューニングしたパラメータ値になっている。なお、音質調整装置２００Ｂを配置した車両の出荷時においては、音質調整設定値ＥＱは、サウンド技術者がチューニングしたパラメータ値となっている。また、当該車両の譲渡後においては、ユーザが、音質調整設定値ＥＱのチューニングを行うことができるようになっている。そして、音質調整部２３０Ｂは、当該チューニングに使用したリファレンス楽曲に対応する地域に関する第１地域情報及び当該リファレンス楽曲の作製年情報を含む第１属性情報ＰＰ１を内部に保持している。
【００７８】
上記の音質調整補正部２４０は、送受信部２８０から送られた補正値情報αを受ける。引き続き、音質調整補正部２４０は、当該補正値情報αにより示される補正値を、音質調整の補正設定値にする。こうして補正設定値が設定されると、音質調整補正部２４０は、供給指示を楽曲情報供給部２２０Ｂへ送る。
【００７９】
そして、音質調整補正部２４０は、音質調整部２３０Ｂから送られた音質調整信号ＡＦＤを受けると、設定されている音質調整の補正設定値に基づき、音質調整信号ＡＦＤに音質調整の補正処理を施して、音声信号ＡＯＤを生成する。こうして生成された音声信号ＡＯＤは、音出力部２５０へ送られる。
【００８０】
第２実施形態では、音質調整補正部２４０に設定される補正設定値は、１曲の楽曲の再生出力が終了するごとに、クリアされるようになっている。
【００８１】
上記の入力部２６０Ｂは、音質調整装置２００Ｂに設けられたキー部、及び／又はキー部を備えるリモート入力装置等により構成されている。この入力部２６０Ｂをユーザが操作することにより、音質調整装置２００Ｂの動作内容の設定や動作指令が行われる。例えば、楽曲コンテンツの再生指定等を、ユーザが入力部２６０Ｂを利用して行う。
【００８２】
第２実施形態では、上述した第１実施形態の場合と同様に、サウンド技術者が、音質調整装置２００Ｂを配置した車両の出荷前において、入力部２６０Ｂを利用して、リファレンス楽曲を再生しながら、音質調整部２３０Ｂに対して音質調整設定値ＥＱを設定するようになっている。
【００８３】
また、第２実施形態では、ユーザが、入力部２６０Ｂを利用して、リファレンス楽曲を再生しながら、音質調整部２３０Ｂに対して音質調整設定値ＥＱを設定することができるようになっている。
【００８４】
上記の属性情報取得部２７０Ｂは、楽曲情報供給部２２０Ｂから送られた第２属性情報ＰＰ２を受ける。そして、属性情報取得部２７０Ｂは、第２属性情報ＰＰ２を受けるごとに、音質調整部２３０Ｂから第１属性情報ＰＰ１を取得し、第１属性情報ＰＰ１の内容と第２属性情報ＰＰ２の内容とが同一であるか否かを判定する。当該判定の結果が肯定的であった場合には、属性情報取得部２７０Ｂは、供給指示を楽曲情報供給部２２０Ｂへ送る。一方、第１属性情報ＰＰ１の内容と第２属性情報ＰＰ２の内容とが同一でないと判定した場合には、属性情報取得部２７０Ｂは、供給待機指示を楽曲情報供給部２２０Ｂへ送るとともに、第１属性情報ＰＰ１及び第２属性情報ＰＰ２を送受信部２８０へ送る。
【００８５】
＜動作＞
以上のようにして構成された管理装置１００及び音質調整装置２００Ｂが協働して実行する動作について、音質調整装置２００Ｂに設定される音質調整設定値ＥＱの補正値の設定処理に主に着目して説明する。
【００８６】
前提として、音質調整装置２００Ｂの音質調整部２３０Ｂには、ユーザがリファレンス楽曲を再生しながらチューニングした音質調整設定値ＥＱが、設定されているものとする。また、音質調整部２３０Ｂには、チューニングに使用したリファレンス楽曲に関する第１属性情報ＰＰ１が保持されているものとする。
【００８７】
また、音質調整補正部２４０に設定される補正設定値は、クリアされているものとする。さらに、１曲の楽曲を再生出力するに際して、楽曲情報供給部２２０Ｂが楽曲信号ＭＵＤを音質調整部２３０Ｂへ供給する前に、楽曲情報供給部２２０Ｂは、再生される楽曲の第２属性情報ＰＰ２を、属性情報取得部２７０Ｂへ送るようになっている。
【００８８】
このような状況のもとで、図１０に示されるように、まず、ステップＳ２１において、属性情報取得部２７０Ｂが、新たな楽曲の再生に際して、第２属性情報ＰＰ２を取得したか否かを判定する。この判定の結果が否定的であった場合（ステップＳ２１：Ｎ）には、ステップＳ２１の処理が繰り返される。
【００８９】
ステップＳ２１の繰り返し中に、属性情報取得部２７０Ｂが新たな第２属性情報ＰＰ２を取得し、ステップＳ２１における判定の結果が肯定的になると（ステップＳ２１：Ｙ）、処理はステップＳ２２へ進む。ステップＳ２２では、属性情報取得部２７０Ｂが、新たに取得した第２属性情報ＰＰ２の内容と、音質調整部２３０Ｂから取得した第１属性情報ＰＰ１の内容とが同一であるか否かを判定する。この判定の結果が肯定的であった場合（ステップＳ２２：Ｙ）には、属性情報取得部２７０Ｂは、供給指示を楽曲情報供給部２２０Ｂへ送る。そして、処理は、後述するステップＳ２６へ進む。
【００９０】
ステップＳ２２における判定の結果が否定的であった場合（ステップＳ２２：Ｎ）には、処理はステップＳ２３へ進む。ステップＳ２３では、属性情報取得部２７０Ｂが、第１属性情報ＰＰ１及び第２属性情報ＰＰ２を送受信部２８０へ送る。そして、送受信部２８０が、第１属性情報ＰＰ１及び第２属性情報ＰＰ２を、ネットワークを介して、管理装置１００へ送信する。
【００９１】
こうして第１属性情報ＰＰ１及び第２属性情報ＰＰ２が管理装置１００へ送信されると、処理制御部１３０が、上述した第１実施形態の場合と同様の処理を行い、補正値を導出する。そして、管理装置１００は、導出された補正値を補正値情報αとして、ネットワークを介して、音質調整装置２００Ｂへ送信する。
【００９２】
引き続き、ステップＳ２４において、音質調整補正部２４０が、補正値情報αを受信したか否かを判定する。この判定の結果が否定的であった場合（ステップＳ２４：Ｎ）には、ステップＳ２４の処理が繰り返される。
【００９３】
補正値情報αを受信し、ステップＳ２４における判定の結果が肯定的になると（ステップＳ２４：Ｙ）、処理はステップＳ２５へ進む。ステップＳ２５では、音質調整補正部２４０が、当該補正値情報αにより示される補正値を、音質調整補正部２４０による音質調整の補正設定値に設定する。次いで、音質調整補正部２４０は、供給指示を楽曲情報供給部２２０Ｂへ送る。
【００９４】
引き続き、ステップＳ２６において、楽曲情報供給部２２０Ｂが、楽曲信号ＭＵＤを音質調整部２３０Ｂに供給する。この後、処理はステップＳ２１へ戻る。
【００９５】
こうして楽曲信号ＭＵＤが音質調整部２３０Ｂに供給されると、音質調整部２３０Ｂが、チューニングされた音質調整設定値ＥＱに基づき、楽曲信号ＭＵＤに音質調整処理を施して音質調整信号ＡＦＤを生成する。そして、音質調整部２３０Ｂは、生成された音質調整信号ＡＦＤを、音質調整補正部２４０へ送る。
【００９６】
次いで、音質調整補正部２４０が、今回設定された補正設定値に基づき、音質調整信号ＡＦＤに音質調整の補正処理を施して音声信号ＡＯＤを生成する。そして、音質調整補正部２４０は、生成された音声信号ＡＯＤを、音出力部２５０へ送る。この結果、音出力部２５０のスピーカＳＰから、楽曲に対応する地域及び作製年の音質調整設定に適合した楽曲音が出力される。
【００９７】
ここで、第１属性情報ＰＰ１に対応する第１オクターブバンド情報ＯＣＢ１を上述した図３に示されるオクターブバンド情報とし、第２属性情報ＰＰ２に対応する第２オクターブバンド情報ＯＣＢ２を上述した図４に示されるオクターブバンド情報としたとき、音質調整補正部２４０に設定される補正設定値は、上述した図６に示されるものとなる。
【００９８】
以後、新たな楽曲の再生が行われるごとに、上述したステップＳ２１〜Ｓ２６の処理が実行される。
【００９９】
以上説明したように、第２実施形態では、サウンド技術者又はユーザが、リファレンス楽曲を再生しながら音質調整部２３０Ｂの音質調整設定値ＥＱを設定する。そして、音質調整部２３０Ｂが、リファレンス楽曲に対応する地域に関する第１地域情報及び当該リファレンス楽曲の作製年情報を含む第１属性情報ＰＰ１を保持する。
【０１００】
楽曲の再生出力に際して、楽曲情報供給部２２０Ｂが楽曲信号ＭＵＤを音質調整部２３０Ｂへ供給する前に、属性情報取得部２７０Ｂが、再生される楽曲の第２属性情報ＰＰ２を、楽曲情報供給部２２０Ｂから取得する。そして、属性情報取得部２７０Ｂは、音質調整部２３０Ｂから取得した第１属性情報ＰＰ１の内容と第２属性情報ＰＰ２の内容とが同一である場合には、供給指示を楽曲情報供給部２２０Ｂへ送る。一方、第１属性情報ＰＰ１の内容と第２属性情報ＰＰ２の内容とが同一でない場合には、属性情報取得部２７０Ｂは、第１属性情報ＰＰ１及び第２属性情報ＰＰ２を、管理装置１００へ送信する。
【０１０１】
管理装置１００では、第１属性情報ＰＰ１及び第２属性情報ＰＰ２を受信すると、処理制御部１３０が、記憶部１２０の楽曲特性情報ＭＳＩから、第１属性情報ＰＰ１に対応する第１オクターブバンド情報ＯＣＢ１及び第２属性情報ＰＰ２に対応する第２オクターブバンド情報ＯＣＢ２を取得する。引き続き、処理制御部１３０は、第２オクターブバンド情報ＯＣＢ２により示される周波数特性から第１オクターブバンド情報ＯＣＢ１により示される周波数特性を減算して、補正値を導出する。そして、処理制御部１３０は、当該補正値を補正値情報αとして、音質調整装置２００Ｂへ送信する。
【０１０２】
補正値情報αを受けた音質調整装置２００Ｂでは、音質調整補正部２４０が、当該補正値情報αにより示される補正値を、音質調整の補正設定値に設定する。こうして補正設定値が音質調整補正部２４０に設定されると、楽曲情報供給部２２０Ｂが、楽曲信号ＭＵＤを音質調整部２３０Ｂに供給し、音質調整部２３０Ｂが、チューニングされた音質調整設定値ＥＱに基づき、楽曲信号ＭＵＤに音質調整処理を施して音質調整信号ＡＦＤを生成する。そして、音質調整部２３０Ｂは、生成された音質調整信号ＡＦＤを、音質調整補正部２４０へ送る。次いで、音質調整補正部２４０が、今回設定された補正設定値に基づき、音質調整信号ＡＦＤに補正処理を施して音声信号ＡＯＤを生成して、音出力部２５０へ送る。
【０１０３】
このため、ユーザがチューニングを行い、様々な国や地域の楽曲を続けて再生する場合に、以後のユーザの操作の負荷を軽減し、ユーザの音質調整に対する思想を反映しつつ、再生出力される楽曲に対応する地域及び作製年の音質特徴に合わせた音質調整設定を、音質調整装置２００Ｂに対して設定することができる。
【０１０４】
また、サウンド技術者がチューニングを行い、様々な国や地域の楽曲を続けて再生する場合に、ユーザの操作の負荷を軽減し、サウンド技術者の音質調整に対する技術や思想を反映しつつ、再生出力される楽曲に対応する地域及び作製年の音質特徴に合わせた音質調整設定値ＥＱを、音質調整装置２００Ｂに対して設定することができる。
【０１０５】
したがって、第２実施形態によれば、サウンド技術者やユーザ等の操作の負担を軽減し、ユーザの嗜好に合った音声調整処理を行うことができる。
【０１０６】
［実施形態の変形］
本発明は、上記の実施形態に限定されるものではなく、様々な変形が可能である。
【０１０７】
例えば、上記の第１実施形態では、最初の第１属性情報は、サウンド技術者が、音質調整装置のチューニングに使用したリファレンス楽曲に対応する地域に関する情報及び当該リファレンス楽曲の作製年情報が含まれることとした。これに対して、最初の第１属性情報を、ユーザ等が音質調整装置のチューニングに使用したリファレンス楽曲に対応する地域及び当該リファレンス楽曲の作製年情報としてもよい。また、この場合には、第２属性情報を、ユーザ等が指定した地域及び年の情報としてもよい。
【０１０８】
また、上記の第１実施形態では、音質調整設定値の更新処理に際して、ユーザは第２属性情報として地域のみを指定することとしたが、地域に加えて、年情報を指定するようにしてもよい。
【０１０９】
また、上記の第１実施形態では、第２属性情報としてユーザが地域を指定するようにしたが、音質調整装置を配置した車両の輸出時点において、輸出国の技術者等がユーザに代わって仕向け国に関する地域を指定するようにしてもよいし、また、音質調整装置を配置した車両の譲渡時点において、仕向け国の技術者等がユーザに代わって地域を指定するようにしてもよい。
【０１１０】
また、上記の第１及び第２実施形態では、管理装置に記憶される楽曲特性情報は、地域ごと及び当該地域に対応付けられた楽曲の作製年ごとのオクターブバンド情報とした。これに対して、楽曲特性情報を、地域ごと及び当該地域に対応付けられた楽曲の作製年及び楽曲のジャンルごとのオクターブバンド情報としてもよい。
【０１１１】
この場合には、第１属性情報には、第１地域情報に対応付けられた楽曲の作製年情報及び楽曲のジャンル情報が含まれ、第２属性情報には、第２地域情報に対応付けられた楽曲の作製年情報及び楽曲のジャンル情報が含まれるようにすることができる。
【０１１２】
また、楽曲特性情報を、地域ごと及び当該地域に対応付けられた楽曲のジャンルごとのオクターブバンド情報としてもよい。この場合には、第１属性情報には、第１地域情報に対応付けられた楽曲のジャンル情報が含まれ、第２属性情報には、第２地域情報に対応付けられた楽曲のジャンル情報が含まれるようにすることができる。
【０１１３】
また、楽曲特性情報を、地域ごとに対応付けられたオクターブバンド情報としてもよい。この場合には、第１属性情報は第１地域情報から成り、第２属性情報は第２地域情報から成るようにすることができる。
【０１１４】
また、第１及び第２実施形態では、楽曲特性情報を記憶した記憶部が管理装置に備えられ、管理装置が補正値を導出するようにした。これに対して、音質調整装置が、楽曲特性情報を記憶した記憶部を備え、第１属性情報及び第２属性情報に基づき音質調整の補正値を導出するようにしてもよい。
【０１１５】
また、第１実施形態では、チューニングに使用したリファレンス楽曲に関する第１属性情報は、リファレンス楽曲のコンテンツから取得されるようにしたが、チューニング時に音質調整の設定者が、入力するようにしてもよい。また、第２実施形態では、チューニングに使用したリファレンス楽曲に関する第１属性情報は、入力部を利用して入力されるようにしたが、チューニング時にリファレンス楽曲のコンテンツから取得されるようにしてもよい。
【０１１６】
また、上記の第１実施形態では、音質調整装置２００Ａは、音質調整部２３０Ａ及び更新部２９０を備えるようにした。これに対して、音質調整装置２００Ａは、第２実施形態の音質調整部２３０Ｂ及び音質調整補正部２４０と同様に構成された音質調整部及び音質調整補正部を備えるようにしてもよい。この場合には、更新部２９０を構成要素から省略し、第１属性情報は、属性情報取得部が保持することになる。
【０１１７】
また、上記の第２実施形態では、音質調整装置２００Ｂは、音質調整部２３０Ｂ及び音質調整補正部２４０を備えるようにした。これに対して、音質調整装置２００Ｂは、第１実施形態の音質調整部２３０Ａ及び更新部２９０と同様に構成された音質調整部及び更新部を備えるようにしてもよい。この場合には、音質調整補正部２４０を構成要素から省略し、第１属性情報は、音質調整部が保持することになる。
【０１１８】
また、上記の第１及び第２実施形態においては、車両に配置される音質調整装置に本発明を適用したが、車両以外の他の移動体に配置される音質調整装置にも本発明を適用することもできる。また、家庭内に配置される音質調整装置にも本発明を適用することができる。
【０１１９】
上記の音質調整装置の一部又は全部（入力部及び音出力部を除く）を中央処理装置（ＣＰＵ：Central Processing Unit）等を備えた演算手段としてのコンピュータとして構成し、予め用意されたプログラムを当該コンピュータで実行することにより、上記の第１及び第２実施形態における音質調整装置の機能を実現するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１２０】
２００Ａ，２００Ｂ  …  音質調整装置
２３０Ａ            …  音質調整部（調整部）
２３０Ｂ            …  音質調整部（調整部の一部）
２４０              …  音質調整補正部（調整部の一部）
２７０Ａ，２７０Ｂ  …  属性情報取得部（取得部）
【図１】
0006587401.tif 000002
【図２】
0006587401.tif 000003
【図３】
0006587401.tif 000004
【図４】
0006587401.tif 000005
【図５】
0006587401.tif 000006
【図６】
0006587401.tif 000007
【図７】
0006587401.tif 000008
【図８】
0006587401.tif 000009
【図９】
0006587401.tif 000010
【図１０】
0006587401.tif 000011